(57)【要約】      （修正有）【課題】ケナフの種子から抽出した油分を利用した塗料を提供する。【解決手段】下記製造方法により得られた油分を重合させた塗料。（１）ケナフ種子の破砕物に，有機溶媒を加える工程と，前記ケナフ種子の破砕物から有機溶媒中に，ケナフ種子に含まれる油分を抽出する工程と，前記有機溶媒を除去する工程と，前記ケナフ種子から抽出した油分を加熱する工程とを備える塗料の製造方法。（２）ケナフ種子又はその破砕物を圧搾し，前記ケナフ種子に含まれる油分を抽出する工程と，抽出した油分を加熱する工程とを備える，塗料の製造方法。【選択図】なし【特許請求の範囲】
【請求項１】
ケナフ種子から抽出した油分を重合させた、塗料。
【請求項２】
ケナフ種子の破砕物に、有機溶媒を加える工程と、前記ケナフ種子の破砕物から有機溶媒中に、前記ケナフ種子に含まれる油分を有機溶媒中に抽出する工程と、前記有機溶媒を除去する工程と、前記ケナフ種子から抽出した油分を加熱する工程とを備える、塗料の製造方法。
【請求項３】
ケナフ種子又はその破砕物を圧搾し、前記ケナフ種子に含まれる油分を抽出する工程と、前記ケナフ種子から抽出した油分を加熱する工程とを備える、塗料の製造方法。
【発明の詳細な説明】
【０００１】
【発明の属する技術分野】
本発明は、塗料及びその製造方法に関し、特に、従来、未利用であったケナフ種子を原料にした塗料及びその製造方法に関する。
【０００２】
【従来の技術】
アオイ科フヨウ属のケナフは、単位面積当たりのバイオマス生産性が非常に高く、病害虫や雑草にも強く、栽培が容易である。また、養分吸収能が高いので土壌や水質浄化効果があり、更に、高い二酸化炭素吸収能を有するので地球温暖化防止にも繋がる等の利点がある。
【０００３】
このような利点から、ケナフは、近時、幅広く栽培されている。
【０００４】
また、ケナフの靭皮や茎は、ボードやパルプの繊維質材料として利用されている。
【０００５】
【発明が解決しようとする課題】
しかしながら、ケナフの種子は、あまり利用されていないのが実情である。
【０００６】
本発明は、以上のような未利用のケナフの種子を有効利用するためになされたものであって、ケナフ種子を原料にした塗料及びケナフ種子から塗料を製造する塗料の製造方法を提供することを目的としている。
【０００７】
【課題を解決するための手段】
請求項１に記載の塗料は、ケナフ種子から抽出した油分を重合させた。
【０００８】
請求項１に記載の塗料には、従来、未利用のケナフ種子から塗料を得るようにしているので、ケナフ種子の有効利用としての価値がある。
【０００９】
また、ケナフ種子から抽出した油分を重合した油は、塗料の薄め液として利用できる。
【００１０】
従って、ケナフ種子から抽出した油分を適当に重合させることで、揮発性の有機溶媒を含まない塗料とすることができる。
【００１１】
請求項２に記載の塗料の製造方法は、ケナフ種子の破砕物に、有機溶媒を加える工程と、ケナフ種子の破砕物から有機溶媒中に、ケナフ種子に含まれる油分を有機溶媒中に抽出する工程と、有機溶媒を除去する工程と、ケナフ種子から抽出した油分を加熱する工程とを備える。
【００１２】
請求項３に記載の塗料の製造方法は、ケナフ種子又はその破砕物を圧搾し、前記ケナフ種子に含まれる油分を抽出する工程と、ケナフ種子から抽出した油分を加熱する工程とを備える。
【００１３】
請求項２又は請求項３に記載の塗料の製造方法は、従来、未利用のケナフ種子から塗料を得るようにしているので、ケナフ種子の有効利用としての価値がある。
【００１４】
【発明の実施の形態】
以下、本発明に係る塗料及びその製造方法の好ましい例を、更に詳しく説明する。
【００１５】
まず、ケナフの種子を破砕する。
【００１６】
ここに破砕は、種子を粉砕することと、種子を押し潰すことのいずれでもよい。
【００１７】
次に、ケナフの種子の破砕物に有機溶媒（ノルマルヘキサン、エチルアルコールその他の油を溶解・抽出できる従来公知の有機溶媒）を加える。
【００１８】
ケナフの種子の破砕物と有機溶媒との混合割合は、特に限定されることはないが、ケナフ種子１重量部に対し、有機溶媒５重量部以上１０重量部以下程度を目安にする。
【００１９】
その後、ケナフの種子の破砕物と有機溶媒との混合物を、例えば、超音波を用い、ケナフ種子の破砕物中に有機溶媒を浸透させ、数時間〜１日程度放置して、有機溶媒中にケナフ種子に含まれる油分を抽出する。
尚、超音波の周波数としては、例えば、３０ｋＨｚ以上５０ｋＨｚ以下の範囲のものを用いるのが好ましい。
【００２０】
次に、ケナフの種子に含まれる油分を抽出した有機溶媒を除去することで、ケナフの種子に含まれる油分を得る。
【００２１】
より具体的に説明すると、まず、ケナフ種子の破砕物と、油分と有機溶媒との混合物とを、例えば、遠心分離機で分離し、次に、ケナフ種子の破砕物を取り除いた油分と有機溶媒との混合物から、例えば、蒸留装置を用いて、有機溶媒を除去することで、油分を得る。
【００２２】
また、ケナフ種子から油分を抽出する方法としては、例えば、ケナフの種子又はその破砕物を圧搾するようにしてもよい。
更に、ケナフ種子から抽出した油分中からガム質除去や、脱酸、脱色、脱臭を行い、ケナフ種子から抽出した油分を精製するようにしてもよい。
【００２３】
尚、このケナフ種子から抽出した油分を重合した油は、塗料の薄め液として利用できる。
【００２４】
また、ケナフ種子から抽出した油分を適当に重合させることで、揮発性の有機溶媒を含まない塗料とすることができる。より具体的に説明すると、例えば、ケナフ種子から抽出した油分に乾燥剤（例えば、ケナフ種子から抽出した油分１００重量部に対し、乾燥剤を０．５重量部以上１０重量部以下）を加えて、空気を吹き込みながら、１００℃以上１５０℃以下の温度範囲で、加温し（通常、この加温は、少なくとも１２時間程度行なうのが好ましい。）、酸化重合させることで、揮発性の有機溶媒を含まないボイル油とすることができる。尚、乾燥剤としては、特に限定されることはなく、従来公知の乾燥剤（例えば、ナフテン酸金属塩やオクチル酸金属塩：これらの金属塩の金属は、亜鉛（Ｚｎ）、コバルト（Ｃｏ）、マンガン（Ｍｎ）、鉛（Ｐｂ）、カルシウム（Ｃａ）及び錫（Ｓｎ））などの群から選択されるものの少なくとも一種が好ましい。
【００２５】
尚、ケナフの種子は、産地等によっても異なるが、通常、１５％以上３０％以下の範囲で、油を含有する。
【００２６】
また、この種子の主な脂肪組成は、ケナフの種子の産地等によっても異なるが、通常、オメガ３油（非常に酸化され易い二重結合数３の不飽和脂肪酸：α−リノレン酸）を０．１重量％以上５重量％以下、オメガ６油（酸化され易い二重結合数２の不飽和脂肪酸：リノール酸）を４０重量％以上５０重量％以下、オメガ９油（酸化され難い二重結合数１の不飽和脂肪酸：オレイン酸等）を２５重量％以上４０重量％以下、飽和脂肪酸（非常に酸化され難い、パルミチン酸、ステアリン酸など）を１５重量％以上３０重量％以下の範囲で含むトリグリセライドで、ヨウ素価が、１００以上１２０以下、ケン化価が，１９０以上１９５以下の半乾性油である。
【００２７】
トリグリセライド量は、総脂肪酸量の約９５％であり、植物レシチンなどのリン脂質量は、４重量％以上１０重量％以下の範囲で含まれており、ステロールは、約０．６重量％以上１．２重量％以下の範囲で含まれている。
【００２８】
以上のようにして得られるボイル油は、オイルフィニッシュ（常温〜高温で木材に塗布して、油の酸化作用によって油脂分を重合させて木材の表面仕上げをする。）としての用途や、油性塗料や印刷インクや油絵具の塗膜形成主要素（ビヒクル）や薄め液、蝋分を加えることで、オイルワックスの原料とすることができる。
【００２９】
また、ケナフ種子から抽出した油分１００重量部に対し、５重量部以上１７０重量部以下の範囲で、加工樹脂（例えば、セルロース類やロジン類）を２００℃以上２５０℃以下の温度範囲で、１時間以上４時間程度の間、熱重合させた後、０．５重量部以上３重量部以下の範囲の皮張り防止剤や、０．５重量部以上５重量部以下の範囲の乾燥剤や、他の植物乾性油を加えて、油ワニスとすることができる。
【００３０】
更に、この油ワニスと顔料を練り合わせることで、油性エナメルにすることができる。
【００３１】
【発明の効果】
以上、詳細に説明したように、請求項１に記載の塗料には、従来、未利用のケナフ種子から塗料を得るようにしているので、ケナフ種子の有効利用としての価値がある。また、ケナフ種子から抽出した油分を重合した油は、塗料の薄め液として利用できる。従って、ケナフ種子から抽出した油分を適当に重合させることで、揮発性の有機溶媒を含まない塗料とすることができる。
【００３２】
請求項２又は請求項３に記載の塗料の製造方法は、従来、未利用のケナフ種子から塗料を得るようにしているので、ケナフ種子の有効利用としての価値がある。